【手続補正書】
【提出日】平成24年2月15日(2012.2.15)
【手続補正１】
【補正対象書類名】特許請求の範囲
【補正対象項目名】全文
【補正方法】変更
【補正の内容】
【特許請求の範囲】
【請求項１】
車両の動力源である第１のバッテリ、および、前記車両に設けられている電気部品に電力を供給する第２のバッテリの充電を行い、前記第１のバッテリの電力の電圧を変換して、前記第２のバッテリの充電用の電力を供給することが可能な充電装置において、
入力される交流電力から前記第１のバッテリおよび前記第２のバッテリの充電用の電力を生成し供給する充電手段と、
前記充電手段から前記第１のバッテリへの電力の供給の有無を切替える第１の切替え手段と、
前記充電手段から前記第２のバッテリへの電力の供給の有無を切替える第２の切替え手段と、
前記第２のバッテリに供給される前記第１のバッテリの電力の電圧を変換する電圧変換手段と、
前記第２のバッテリの電力により動作し、前記第１のバッテリの管理を行うバッテリ管理手段と、
前記電圧変換手段および前記バッテリ管理手段の動作を診断する診断手段と、
前記交流電力により動作する充電制御手段であって、前記第１のバッテリを充電する場合、前記第２のバッテリの電圧が所定の電圧以下であり、かつ、前記電圧変換手段および前記バッテリ管理手段が正常に動作していないとき、前記第１のバッテリを充電する前に、前記充電手段から前記第２のバッテリに電力を供給し、前記第２のバッテリを充電するように前記第１の切替え手段および前記第２の切替え手段を制御する充電制御手段と
を含み、
前記電圧変換手段を介した前記第１のバッテリから前記第２のバッテリへの電力の供給は、前記第２のバッテリの電力を用いて制御される
ことを特徴とする充電装置。
【請求項２】
前記充電制御手段は、前記電圧変換手段および前記バッテリ管理手段の一方のみが正常に動作していない場合、前記第１のバッテリの充電を行わないように制御する
請求項１に記載の充電装置。
【請求項３】
前記充電制御手段は、前記第２のバッテリの電圧が所定の範囲内である場合に、前記電圧変換手段および前記バッテリ管理手段の少なくとも一方が正常に動作していないとき、前記第１のバッテリの充電を行わないように制御する
請求項１に記載の充電装置。
【請求項４】
車両の動力源である第１のバッテリ、および、前記車両に設けられている電気部品に電力を供給する第２のバッテリの充電を行い、前記第１のバッテリの電力の電圧を変換して、前記第２のバッテリの充電用の電力を供給することが可能な充電装置の充電方法において、
前記充電装置は、
入力される交流電力から前記第１のバッテリおよび前記第２のバッテリの充電用の電力を生成し供給する充電手段と、
前記充電手段から前記第１のバッテリへの電力の供給の有無を切替える第１の切替え手段と、
前記充電手段から前記第２のバッテリへの電力の供給の有無を切替える第２の切替え手段と、
前記第２のバッテリに供給される前記第１のバッテリの電力の電圧を変換する電圧変換手段と、
前記第２のバッテリの電力により動作し、前記第１のバッテリの管理を行うバッテリ管理手段と、
前記電圧変換手段および前記バッテリ管理手段の動作を診断する診断手段と、
前記交流電力により動作する充電制御手段と
を備え、
前記第１のバッテリを充電する場合、前記第２のバッテリの電圧が所定の電圧以下であり、かつ、前記電圧変換手段および前記バッテリ管理手段が正常に動作していないとき、前記充電制御手段が、前記第１のバッテリを充電する前に、前記充電手段から前記第２のバッテリに電力を供給し、前記第２のバッテリを充電するように前記第１の切替え手段および前記第２の切替え手段を制御し、
前記電圧変換手段を介した前記第１のバッテリから前記第２のバッテリへの電力の供給は、前記第２のバッテリの電力を用いて制御される
ことを特徴とする充電方法。
【手続補正２】
【補正対象書類名】明細書
【補正対象項目名】発明の名称
【補正方法】変更
【補正の内容】
【発明の名称】充電装置および充電方法
【手続補正３】
【補正対象書類名】明細書
【補正対象項目名】０００１
【補正方法】変更
【補正の内容】
【０００１】
本発明は、充電装置および充電方法に関し、特に、電動車両のバッテリの充電を行う充電装置および充電方法に関する。
【手続補正４】
【補正対象書類名】明細書
【補正対象項目名】０００９
【補正方法】変更
【補正の内容】
【０００９】
本発明の一側面の充電装置は、車両の動力源である第１のバッテリ、および、車両に設けられている電気部品に電力を供給する第２のバッテリの充電を行い、第１のバッテリの電力の電圧を変換して、第２のバッテリの充電用の電力を供給することが可能な充電装置において、入力される交流電力から第１のバッテリおよび第２のバッテリの充電用の電力を生成し供給する充電手段と、充電手段から第１のバッテリへの電力の供給の有無を切替える第１の切替え手段と、充電手段から第２のバッテリへの電力の供給の有無を切替える第２の切替え手段と、第２のバッテリに供給される第１のバッテリの電力の電圧を変換する電圧変換手段と、第２のバッテリの電力により動作し、第１のバッテリの管理を行うバッテリ管理手段と、電圧変換手段およびバッテリ管理手段の動作を診断する診断手段と、交流電力により動作する充電制御手段であって、第１のバッテリを充電する場合、第２のバッテリの電圧が所定の電圧以下であり、かつ、電圧変換手段およびバッテリ管理手段が正常に動作していないとき、第１のバッテリを充電する前に、充電手段から第２のバッテリに電力を供給し、第２のバッテリを充電するように第１の切替え手段および第２の切替え手段を制御する充電制御手段とを含み、電圧変換手段を介した第１のバッテリから第２のバッテリへの電力の供給は、第２のバッテリの電力を用いて制御される。
【手続補正５】
【補正対象書類名】明細書
【補正対象項目名】００１０
【補正方法】変更
【補正の内容】
【００１０】
本発明の一側面の充電装置においては、車両の動力源である第１のバッテリを充電する場合、車両に設けられている電気部品に電力を供給する第２のバッテリの電圧が所定の電圧以下であり、かつ、第２のバッテリに供給される第１のバッテリの電力の電圧を変換する電圧変換手段および第１のバッテリの管理を行うバッテリ管理手段が正常に動作していないとき、第１のバッテリを充電する前に、第２のバッテリが充電される。
【手続補正６】
【補正対象書類名】明細書
【補正対象項目名】００１２
【補正方法】変更
【補正の内容】
【００１２】
この充電手段は、例えば、商用電源から供給される電力から充電用の直流電力を生成し供給する車載用の充電装置により構成される。この第１の切替え手段および第２の切替え手段は、例えば、コンタクタ、リレーなどのスイッチにより構成される。この電圧変換手段は、例えば、DCDCコンバータにより構成される。このバッテリ管理手段は、例えば、BMU（Battery Management Unit）により構成される。この診断手段は、例えば、CPU（Central Processing Unit）、ECU（Electronic Control Unit）などにより構成される。この充電制御手段は、例えば、CPU（Central Processing Unit）、ECU（Electronic Control Unit）などにより構成される。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００２０
【補正方法】変更
【補正の内容】
【００２０】
本発明の一側面の充電方法は、車両の動力源である第１のバッテリ、および、車両に設けられている電気部品に電力を供給する第２のバッテリの充電を行い、第１のバッテリの電力の電圧を変換して、第２のバッテリの充電用の電力を供給することが可能な充電装置の充電方法であって、充電装置は、入力される交流電力から第１のバッテリおよび第２のバッテリの充電用の電力を生成し供給する充電手段と、充電手段から第１のバッテリへの電力の供給の有無を切替える第１の切替え手段と、充電手段から第２のバッテリへの電力の供給の有無を切替える第２の切替え手段と、第２のバッテリに供給される第１のバッテリの電力の電圧を変換する電圧変換手段と、第２のバッテリの電力により動作し、第１のバッテリの管理を行うバッテリ管理手段と、電圧変換手段およびバッテリ管理手段の動作を診断する診断手段と、交流電力により動作する充電制御手段とを備え、第１のバッテリを充電する場合、第２のバッテリの電圧が所定の電圧以下であり、かつ、電圧変換手段およびバッテリ管理手段が正常に動作していないとき、充電制御手段が、第１のバッテリを充電する前に、充電手段から第２のバッテリに電力を供給し、第２のバッテリを充電するように第１の切替え手段および第２の切替え手段を制御し、電圧変換手段を介した第１のバッテリから第２のバッテリへの電力の供給は、第２のバッテリの電力を用いて制御される。
【手続補正１１】
【補正対象書類名】明細書
【補正対象項目名】００２１
【補正方法】変更
【補正の内容】
【００２１】
本発明の一側面の充電方法においては、車両の動力源である第１のバッテリを充電する場合、車両に設けられている電気部品に電力を供給する第２のバッテリの電圧が所定の電圧以下であり、かつ、第２のバッテリに供給される第１のバッテリの電力の電圧を変換する電圧変換手段および第１のバッテリの管理を行うバッテリ管理手段が正常に動作していないとき、第１のバッテリを充電する前に、第２のバッテリが充電される。
【手続補正１２】
【補正対象書類名】明細書
【補正対象項目名】００２３
【補正方法】変更
【補正の内容】
【００２３】
この充電手段は、例えば、商用電源から供給される電力から充電用の直流電力を生成し供給する車載用の充電装置により構成される。この第１の切替え手段および第２の切替え手段は、例えば、コンタクタ、リレーなどのスイッチにより構成される。この電圧変換手段は、例えば、DCDCコンバータにより構成される。このバッテリ管理手段は、例えば、BMU（Battery Management Unit）により構成される。この診断手段は、例えば、CPU（Central Processing Unit）、ECU（Electronic Control Unit）などにより構成される。この充電制御手段は、例えば、CPU（Central Processing Unit）、ECU（Electronic Control Unit）などにより構成される。
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】